【手続補正書】
【提出日】平成18年5月1日(2006.5.1)
【手続補正１】
【補正対象書類名】明細書
【補正対象項目名】特許請求の範囲
【補正方法】変更
【補正の内容】
【特許請求の範囲】
【請求項１】  式（３）にしたがう担持された触媒組成物の存在下において、非環式モノエチレン性不飽和化合物をＣＯおよびＨ2と反応させることを含むことを特徴とするヒドロホルミル化方法。
【化１】
2002516891.tif 000001
（式中、
Ｑは、ＯＰＸ2部分を担体（Ｓｕｐ）に結合する任意の有機フラグメントであり、
Ｘは、アルコキシ、アリールオキシ、アルキル、またはアリールであり、および
Ｍが、ロジウムである）
【請求項２】  式（３）にしたがう担持された触媒組成物の存在下において、非環式芳香族オレフィン化合物をＣＯおよびＨ2と反応させることを含むことを特徴とするヒドロホルミル化方法。
【化２】
2002516891.tif 000002
（式中、
Ｑは、ＯＰＸ2部分を担体（Ｓｕｐ）に結合する任意の有機フラグメントであり、
Ｘは、アルコキシ、アリールオキシ、アルキル、またはアリールであり、および
Ｍは、ロジウムである）
【請求項３】  式１の担持されたビス（リン）配位子の存在下において、ＣＯおよびＨ2をロジウム化合物と反応させることを含むことを特徴とする、担持されたロジウムビスホスファイトヒドロホルミル化触媒の調製方法。
【化３】
2002516891.tif 000003
（式中、Ｑは、２つのリン部分を担体に結合する任意の有機フラグメントであり、およびＸは、アルコキシ、アリールオキシ、アルキル、またはアリールであるか、あるいはまた、ＰＸ2部分が環を形成し、およびＸ2がジ（アルコキシ）、ジ（アリールオキシ）、ジ（アルキル）、またはジ（アリール）である）
【手続補正２】
【補正対象書類名】明細書
【補正対象項目名】０２７６
【補正方法】変更
【補正の内容】
【０２７６】
本発明の具体的な実施形態を前述の説明で記載してきたが、本発明の精神および本質的特性を逸脱することなく、本発明が、多くの変更形態、置換および再配列を有することができることは、当業者に理解されるであろう。本発明の範囲を明確に示す際には、前述の明細書よりも添付の特許請求の範囲を参照するべきである。
以下に、本発明の好ましい態様を示す。
１．  式（３）にしたがう担持された触媒組成物の存在下において、非環式モノエチレン性不飽和化合物をＣＯおよびＨ2と反応させることを含むことを特徴とするヒドロホルミル化方法。
【化４】
2002516891.tif 000004
（式中、
Ｑは、ＯＰＸ2部分を担体（Ｓｕｐ）に結合する任意の有機フラグメントであり、
Ｘは、アルコキシ、アリールオキシ、アルキル、またはアリールであり、および
Ｍが、ロジウムである）
２．  前記担体は、官能基化された有機ポリマー樹脂であることを特徴とする１．に記載の方法。
３．  Ｘは、２０個までの炭素原子を有するアリールオキシまたはアリールであることを特徴とする１．に記載の方法。
４．  ＰＸ2部分が環を形成し、およびＸ2がジ（アルコキシ）、ジ（アリールオキシ）、ジ（アルキル）、またはジ（アリール）であることを特徴とする１．に記載の方法。
５．  反応剤は、液相にあることを特徴とする１．に記載の方法。
６．  反応剤は、気相にあることを特徴とする１．に記載の方法。
７．  前記非環式モノエチレン性不飽和化合物は、２から３０個の炭素原子を有することを特徴とする１．に記載の方法。
８．  前記非環式モノエチレン性不飽和化合物は、プロピレンであることを特徴とする７．に記載の方法。
９．  前記非環式モノエチレン性不飽和化合物は、４から２０個の炭素原子を有する内部エチレン性不飽和化合物であることを特徴とする１．に記載の方法。
１０．  前記非環式モノエチレン性不飽和化合物は、３−ペンテンニトリル、３−ペンテン酸、３−ペンテン酸のＣ1〜Ｃ6アルキルエステル化合物、または４−ペンテン酸のＣ1〜Ｃ6アルキルエステル化合物であることを特徴とする９．に記載の方法。
１１．  ペンテン酸アルキルエステル化合物は、３−ペンテン酸メチルまたは４−ペンテン酸メチルであることを特徴とする１０．に記載の方法。
１２．  非環式モノエチレン性不飽和化合物対ロジウムの比が１から１００，０００の間であり、リン対ロジウムの比が１から２０の間であり、温度が５０℃から１５０℃の間であり、全圧力が０．１から１０ＭＰａの間であり、一酸化炭素および水素は、０．１から１０の間の比率にあることを特徴とする１．に記載の方法。
１３．  式（３）にしたがう担持された触媒組成物の存在下において、非環式芳香族オレフィン化合物をＣＯおよびＨ2と反応させることを含むことを特徴とするヒドロホルミル化方法。
【化５】
2002516891.tif 000005
（式中、
Ｑは、ＯＰＸ2部分を担体（Ｓｕｐ）に結合する任意の有機フラグメントであり、
Ｘは、アルコキシ、アリールオキシ、アルキル、またはアリールであり、および
Ｍは、ロジウムである）
１４．  前記担体は、官能基化された有機ポリマー樹脂であることを特徴とする１３．に記載の方法。
１５．  Ｘは、２０個までの炭素原子を有するアリールオキシまたはアリールであることを特徴とする１３．に記載の方法。
１６．  ＰＸ2部分が環を形成し、およびＸ2がジ（アルコキシ）、ジアリールオキシ）、ジ（アルキル）、またはジ（アリール）であることを特徴とする１３．に記載の方法。
１７．  反応剤は、液相にあることを特徴とする１３．に記載の方法。
１８．  反応剤は、気相にあることを特徴とする１３．に記載の方法。
１９．  前記非環式芳香族オレフィン化合物は、６から３０個の炭素原子を含むことを特徴とする１３．に記載の方法。
２０．  前記非環式芳香族オレフィン化合物は、スチレンであることを特徴とする１９．に記載の方法。
２１．  非環式モノエチレン性不飽和化合物対ロジウムの比が１から１００，０００の間であり、リン対ロジウムの比が１から１０の間であり、温度が０℃から１２０℃の間であり、全圧力が０．１から２０ＭＰａの間であり、一酸化炭素および水素が０．１から１０の間の比率にあることを特徴とする１３．に記載の方法。
２２．  式１の担持されたビス（リン）配位子の存在下において、ＣＯおよびＨ2をロジウム化合物と反応させることを含むことを特徴とする、担持されたロジウムビスホスファイトヒドロホルミル化触媒の調製方法。
【化６】
2002516891.tif 000006
（式中、Ｑは、２つのリン部分を担体に結合する任意の有機フラグメントであり、およびＸは、アルコキシ、アリールオキシ、アルキル、またはアリールであるか、あるいはまた、ＰＸ2部分が環を形成し、およびＸ2がジ（アルコキシ）、ジ（アリールオキシ）、ジ（アルキル）、またはジ（アリール）である）
２３．  式（１）の担持された配位子が、式（４）に従ってさらに特徴づけられる２２．に記載の方法。
【化７】
2002516891.tif 000007
（式中、
リンカーＱが、２，２’−ジヒドロキシ−１，１’−ビナフタレン架橋基であり、
ビナフタレン架橋基の３、３’位の置換基Ｒ7およびＲ8が、２から１０個の炭素原子を含むアルキル基、アリール基、アルコキシ基、アリールオキシ基、カルボアルコキシ基、カルボアリールオキシ基、ニトリル基、トリアリールシリル基、またはトリアルキルシリル基から選択され、
基Ｒ7およびＲ8の少なくとも１つが、担体（Ｓｕｐ）と共有結合し、
Ｘが、アルコキシ、アリールオキシ、アルキル、またはアリールであるか、あるいはまたＰＸ2部分が環を形成し、Ｘ2が、ジ（アルコキシ）、ジ（アリールオキシ）、ジ（アルキル）、またはジ（アリール）である）
２４．  温度が２５〜１２０℃の範囲内であり、ＣＯおよびＨ2の分圧が０．１〜３．４ＭＰａの範囲内であることを特徴とする２２．に記載の方法。
２５．  前記ロジウム化合物は、担体にとって良好な膨潤溶媒である溶媒中に溶解されることを特徴とする２４．に記載の方法。
２６．  前記担体は、有機ポリマー樹脂であることを特徴とする２２．に記載の方法。
２７．  前記有機ポリマー樹脂は、架橋ポリスチレン樹脂であることを特徴とする２２．に記載の方法。
２８．  Ｒ1およびＲ2が、カルボアルコキシ基、ＣＯ−Ｏ−Ｒであり、ここでＲがＣ1〜Ｃ20アルキルまたはＣ6〜Ｃ20アリールであることを特徴とする２３．に記載のヒドロホルミル化触媒組成物。